(57)【特許請求の範囲】
【請求項１】
インキタンクの先端にペン先を取り付けたリフィルをコイルスプリングによって後方付勢しつつ軸筒内に前後動可能に収容し、操作部材を操作することによりリフィルに係合した係止機構を前後動させて、この係止機構により軸筒先端口よりのペン先の先端出没係止をなす出没式筆記具であって、前記係止機構を、軸筒内壁に形成した係止位置の異なる複数の係止溝に回転により交互に係止する回転カムと該回転カムに操作部材の操作による摺動力を付与する摺動子よりなるものとし、前記操作部材を前記軸筒の前側壁に形成した横孔より突出させて操作可能となしたものにおいて、軸筒内に形成した内段部と前記摺動子との間に弾撥部材を介在させ、摺動子を後方付勢して、前記操作部材に後方付勢力を付与してなる出没式筆記具。
【請求項２】
前記操作部材を軸径方向に摺動可能な押圧部材とし、前記摺動子を軸筒内壁に形成した摺動溝に係合して長手方向に摺動して直接回転カムを移動させる摺動カムと前記押圧部材の径方向の押圧力を受ける傾斜壁を有し押圧部材の径方向の押圧力を長手方向の摺動力に変換する連結部材とからなるものとし、前記弾撥部材を軸筒内に形成した内段部と連結部材との間に介在させたことを特徴とする請求項１記載の出没式筆記具。
【請求項３】
前記軸筒を先端口に向かって次第に縮径する錐体状先筒と、この先筒を先端に着脱可能に螺着する、側壁に前記操作部を突出させる横孔を有する後筒とからなるものとしたことを特徴とする請求項１又は２に記載の出没式筆記具。
【請求項４】
前記先筒を螺合する後筒の先端部に外径の縮径部として雄螺子部を形成し、接続完了した先筒と後筒の外径を略同径となすと共に、後筒の先端雄螺子部を含む後筒の前側内壁を略同径としたことを特徴とする請求項３記載の出没式筆記具。
【発明の詳細な説明】
【０００１】
【発明の属する技術分野】
本発明は、インキタンクの先端にペン先を取り付けたリフィルを軸筒内にコイルスプリングによって後方付勢しつつ前後動可能に収容し、操作部材を操作することによりリフィルに係合した係止機構を前後動させて、この係止機構により軸筒先端口よりのペン先の先端出没係止をなす出没式筆記具であって、前記係止機構を、軸筒内壁に形成した係止位置の異なる複数の係止溝に回転により交互に係止する回転カムと該回転カムに操作部材の操作による摺動力を付与する摺動子よりなるものとし、前記操作部材を前記軸筒の前側壁に形成した横孔より突出させて操作可能となしたものに関する。
【０００２】
【従来の技術】
従来、軸筒先端よりのペン先の突出状態及び没入収容状態を形成するために、係止位置の異なる複数の係止溝に回転により交互に係止する回転カムを有する係止機構を使用した出没式筆記具が知られている。この回転カムを使用する出没の係止機構では、交互に配置した長手方向に短い溝と長い溝に回転カムの突出片が順次係合して、短い溝に係合した際にはペン先の突出状態を形成し、長い溝に係合したときにはリフィルに付与されているコイルスプリングによる後方付勢力によりペン先の没入状態を形成するものである。
【０００３】
【発明が解決しようとする課題】
上述のような出没式筆記具は、操作部材の位置を変化させることによりペン先を没入状態から突出状態にまで移動させることになる。ペン先の没入状態は、操作部材の移動前の状態であり、コイルスプリングにより後方付勢されるリフィルと抜け落ち係止された操作部材との間に回転カムが挟まれた状態となり各部材は固定されている。しかし、ペン先の突出状態では短い溝に係合した回転カムが溝の係合壁と後方付勢されたリフィルとの間に挟まれた状態となっており、リフィルを後方付勢するコイルスプリングの付勢力が回転カムに摺動力を付与する部材には付与されないことになる。するとペン先を突出する位置にまで移動させた操作部材は抜け落ち係止されている以外は自由に移動可能となり重力や筆記具本体の移動の慣性により絶えず動くことになる。このように操作部材が固定されない不安定な状態は、ペン先の突出状態である筆記時に形成されるため、操作部材を軸筒の前側壁に位置させたものでは筆記時に把持し難くなるという問題があった。
【０００４】
【課題を解決するための手段】
即ち、本発明は、インキタンクの先端にペン先を取り付けたリフィルを軸筒内にコイルスプリングによって後方付勢しつつ前後動可能に収容し、操作部材を操作することによりリフィルに係合した係止機構を前後動させて、この係止機構により軸筒先端口よりのペン先の先端出没係止をなす出没式筆記具であって、前記係止機構を、軸筒内壁に形成した係止位置の異なる複数の係止溝に回転により交互に係止する回転カムと該回転カムに操作部材の操作による摺動力を付与する摺動子よりなるものとし、前記操作部材を前記軸筒の前側壁に形成した横孔より突出させて操作可能となしたものにおいて、軸筒内に形成した内段部と前記摺動子との間に弾撥部材を介在させ、摺動子を後方付勢して、前記操作部材に後方付勢力を付与してなる出没式筆記具を要旨とする。
【０００５】
【実施例】
以下、図面に基づき一例について説明する。いずれの図面のものもペン先の突出した筆記可能状態を示してある。
先端口に向かって次第に縮径する円錐体形状の先筒１ａと後筒１ｂとからなる軸筒１内に、ボールペンチップ２ａとインキを収容するポリプロピレン樹脂製のパイプ体であるインキタンク２ｂとを接続したリフィル２が、先筒１ａの内部に配置したコイルスプリング３の弾撥力を側壁に形成した突条２ｃで受けて後方付勢され前後動可能に収容されている。また、軸筒１の後端にはクリップ４ａを有する頭冠４が連結されている。
【０００６】
また、軸筒１の内部にはリフィル２のボールペンチップ２ａを先筒の先端口より出没維持する係止機構が収容されており、係止機構は後筒側壁の横孔５より突出する押圧ボタン６に連結されている。押圧ボタン６はポリオキシメチレン樹脂製の箱型状部材であり、図示はしないが側壁に形成した外方突起により後筒の横孔からの抜け落ち係止がなされているのみで、その範囲内では軸径方向に自由に動き得る。
【０００７】
図１の要部拡大図である図２にも示すように、リフィル２を摺動係止する係止機構は、回転により後筒１ｂ内での長手方向位置を変化させる回転カム７と、回転カムに長手方向の摺動力と回転力とを付与する摺動カム８と、押圧ボタン６の径方向の押圧力を長手方向の摺動力に変換し摺動カム８を摺動させる連結部材９とからなっている。これら係止機構の各部材は他部材との当接、摺接を繰り返す部材であることから、摩擦抵抗が極力少なく、摩擦による変形、摩耗等の極力少ないポリオキシメチレン樹脂が使用されている。
【０００８】
ペン先であるボールペンチップ２ａの突出状態では、回転カム７は、後筒１ｂの内壁に形成された交互に配置された長さの異なる係止溝１ｃの内、短い溝に係止される複数の羽根７ａを有している。また、この羽根７ａは、後部が傾斜壁７ｂとなっており、後述する摺動カム８の前端の鋸歯状の山形傾斜面８ａと当接すると一定方向に回転し、短い溝と長い溝の係合溝１ｃに交互に係合する。回転カム７の先端は、コイルスプリング３によって後方付勢されたリフィル２の突条２ｃと当接しており、羽根７ａが交互に長い係止溝と短い係止溝に係合することによって交互にペン先の出没状態を形成する。
【０００９】
摺動カム８は回転カム７との当接部分として前端に鋸歯状の山形傾斜面８ａを複数有していると共に、側壁に後筒１ｂ内壁に形成した摺動溝１ｄに係合して摺動する摺動突起８ｂを有している。
連結部材９は、押圧ボタン６の径方向の押圧力を受ける部分として２つの傾斜壁９ａを有しており、押圧ボタン６の前後の脚６ａと当接するようになっている。また、連結部材９は傾斜壁９ａと反対側の側壁に後筒１ｂ内壁と当接する突起９ｂを有しており、摺動時に後筒１ｂの内壁との摩擦抵抗を極力小さくするようにしてある。
【００１０】
押圧ボタン６を押圧すると脚６ａが連結部材９の傾斜壁９ａに当接して連結部材が前方向に移動し、摺動カム８を移動させる。摺動カム８は山形傾斜面８ａにて回転カム７の羽根７ａに当接する。羽根７ａの後部の傾斜壁７ｂと山形傾斜面８ａとが押圧力を付与されつつ当接することによって、回転カム７は傾斜に摺れつつ前方に移動し、係合溝１ｃの開口部に達したときに回転して隣の係合溝１ｃに係合し、ペン先の出没係止をなすものである。
【００１１】
また、後筒１ｂの内壁に形成した内方突部１ｅによる段に弾撥部材としてコイルスプリング１０を設置し、連結部材９に形成した周状凸部９ｃとの間に挟んでいる。図示のペン先突出状態では、回転カム７は短い係合溝に係合されているため前方向に位置し、リフィル２を後方付勢するコイルスプリング３の付勢力を摺動カムに伝達しないが、後筒１ｂの内方突部１ｅに設置したコイルスプリング１０にて連結部材９が後方付勢され、傾斜壁９ａによって押圧ボタン６を押し上げ固定する。当然、通常ペン先の出没のための押圧操作の力より、コイルスプリング１０の弾撥力は小さく設定されるので押圧操作に影響はない。また、ペン先収納時にもコイルスプリング１０の弾撥力が操作部材９に付与されるので押圧ボタン６は固定される。このようにすることによって、押圧ボタン６は操作時以外は常に同じ状態を保つことができ、特に筆記時に自由に移動してしまうことによるカタカタと音がなったり、筆記時の把持する手に衝突して邪魔となるようなことが極力抑制されたものたりえる。
【００１２】
ここで、回転カム７及び摺動カム８は、それぞれ後筒１ｂの内壁に形成した溝に係合する突出部分（羽根７ａ、摺動突起８ｂ）を有するものであるが、後筒１ｂがコイルスプリング１０を設置する内方突部１ｅを有するため、後筒１ｂ内に内部材であるこれら回転カム７及び摺動カム８を設置する際には、後筒１ｂの前側より挿入しなくてはならなく、このためペン先を突出する小径の先端口を別部材である先筒１ａに形成してある。また、先筒１ａと後筒１ｂとの連結は螺合によりなしてあるが、先筒１ａを外側部材となるように内壁に雌螺子部１ｆを形成し後筒１ｂの先端に形成した小径部外面に雄螺子部１ｇを形成することにより、外径を極力連続した形状とすることができ把持しやすく、軸筒内での摺動部材である係止機構を収容する後筒１ｂの内壁を段のない直管状に形成することができ、内容部材の移動に支障を来す恐れの極力抑制されたものとなる。尚、先筒１ａと後筒１ｂとの連結は螺合の他に乗り越え嵌合や接着が考えられるが、リフィルの交換を考慮すると、螺合が好ましいものと言える。参照符号１１は先筒１ａを取り外した際に、内容物が一気に抜け落ちないようにするための軟質ポリエチレン樹脂製の係止リングであり、後筒１ｂ開口部に圧入されている。
【００１３】
図３、図４に変形例を示す。
図３の例は後筒１ｂの内壁の内方突部１ｅに設置したコイルスプリング１０の弾撥力を摺動カム８に形成した周状凸部８ｃに付与するものであり、コイルスプリング１０の弾撥力を摺動カム８に付与し、摺動カム８より連結部材９を介して押圧ボタン６を押し上げるものである。
図４の例では、摺動カムと連結部材とを一体の摺動子１２とし、回転カム７と当接する山形傾斜面１２ａ、摺動溝１ｄと係合する摺動突起１２ｂ、押圧ボタン６と当接する傾斜壁１２ｃ及びコイルスプリング１０の弾撥力を受ける周状凸部１２ｄを形成したものとした例である。
【００１４】
図５に他の一例を示す。上述の例と異なる点は、操作部材を押圧ボタンのような径方向の押圧力を付与するものとせずに、後筒１ｂの側壁に形成したスライド溝１ｈを長手方向に摺動するスライド片１３とし、連結部材１４も摺動カム８に直接スライド片の摺動力を付与するものである。ここで、連結部材１４は段部１４ａにて、コイルスプリング１０の弾撥力を受けており、スライド片１３を常に後方付勢して非操作時の固定をなしている。
【００１５】
【発明の効果】
本発明によれば、軸筒の前側壁に操作部材を位置させた出没式筆記具であって、出没係止機構に回転カムを使用したものであっても、操作部材はペン先の突出時にも没入時にも固定される事になり、筆記時把持し易い状態を確保することができるものである。
【図面の簡単な説明】
【図１】一例を示す要部拡大断面図。
【図２】図１の要部拡大図。
【図３】変形例を示す要部拡大断面図。
【図４】変形例を示す要部拡大断面図。
【図５】他の一例を示す要部拡大断面図。
【符号の説明】
１  軸筒
１ａ  先筒
１ｂ  後筒
１ｃ  係止溝
１ｄ  摺動溝
１ｅ  内方突部
１ｆ  雌螺子部
１ｇ  雄螺子部
１ｈ  スライド溝
２  リフィル
２ａ  ボールペンチップ
２ｂ  インキタンク
２ｃ  突条
３  コイルスプリング
４  頭冠
４ａ  クリップ
５  横孔
６  押圧ボタン
６ａ  脚
７  回転カム
７ａ  羽根
７ｂ  傾斜壁
８  摺動カム
８ａ  山形傾斜面
８ｂ  摺動突起
８ｃ  周状凸部
９  連結部材
９ａ  傾斜壁
９ｂ  突起
９ｃ  周状凸部
１０  コイルスプリング
１１  係止リング
１２  摺動子
１２ａ  山形傾斜面
１２ｂ  摺動突起
１２ｃ  傾斜壁
１２ｄ  周状凸部
１３  スライド片
１４  連結部材
１４ａ  段部
【図１】
0003774804.tif 000002
【図２】
0003774804.tif 000003
【図３】
0003774804.tif 000004
【図４】
0003774804.tif 000005
【図５】
0003774804.tif 000006